(57)【要約】      （修正有）【課題】ワイパーウィングの固定装置の提供。【解決手段】ワイパーウィング本体１のフロントガラス側突縁部にＬ字型の装着プレート１１を設け、当該装着プレートにはスリット１１１が入り、スリット周囲にはねじ受け溝１１２を具備しており、さらに菱形を呈するワッシャー２を有し、当該ワッシャーの中央部にはねじ孔２１を具備し、当該ウィングをワイパーブラケットに装着するに当たり、ねじが装着プレートのスリットからワイパーブラケット側のスリットを貫通してワイパーブラケット突縁裏側まで抜けるが、ワッシャーが菱形設計であるため、当該ワイパーウィングがそれぞれ幅の異なるブラケットのワイパーに適用できることを特徴とする、ワイパーウィングの固定装置。【選択図】図１
0003118393.tif 000002
【実用新案登録請求の範囲】
【請求項１】
ワイパーウィング本体のフロントガラス側突縁部にＬ字型の装着プレートを設け、当該装着プレートにはスリットが入り、装着プレートによりワイパーウィングをワイパーに固定するに当たり、当該装着プレートのスリットにはねじ受け溝が設けられ、ワッシャーは菱形状を呈し、ワッシャー中央部にはワッシャー孔が設けられ、ワッシャーをワイパーブラケットの突縁裏面に重ね、ねじを装着プレートとワイパーブラケットのスリットに貫通させることによりワイパーウィングをワイパーに固定し、このときワッシャーが角度を変えてワイパーブラケットの壁面に当接することにより、ワイパーウィングを各種型の異なるワイパーに適用させうる点を特徴とするワイパーウィングの固定装置。
【請求項２】
請求項１記載のワイパーウィングの固定装置において、当該装着プレートの上にカバーを圧入し、当該カバーには多様な模様があり装飾効果を発揮することを特徴とする、ワイパーウィングの固定装置。
【請求項３】
請求項１記載のワイパーウィングの固定装置において、当該ワッシャーがラウンド状のコーナーを有し、ワッシャー固定に当たりワッシャーが角度を変えてワイパーブラケット壁面に当接し、固定されることを特徴とするワイパーウィングの固定装置。
【考案の詳細な説明】
【技術分野】
【０００１】
本考案は、型の異なる各種ワイパーに装着可能で、且つ緊密に固定できる装置を持つワイパーウィングの固定装置である。
【背景技術】
【０００２】
ワイパーに装着される一般のワイパーウィングは通常、ワイパーウィングにＬ字型の装着プレートが設けられ、装着プレートをワイパーブラケットに掛けて、装着プレートおよびワイパーブラケットのスリットにねじを貫通させて締め付けるが、メーカーによりワイパーの設計が異なるため、これに従いワイパーブラケットの幅にも相違があることから、ワイパーウィングを型の異なるワイパーに装着するに当たり、固定可能とはいえ、ある程度の使用期間を経るとワイパーウィングの弛緩をまねき、極端な場合にはワイパーウィングの脱落に至ることがあり、ワイパーウィング使用上の欠点となっており、この点において改善が待たれていた。
【考案の開示】
【考案が解決しようとする課題】
【０００３】
本考案の主な目的は、型の異なるワイパーに適用可能なワイパーウィングにより、ワイパーウィング装着後の固定性を増強するようなワイパーウィングの固定装置を提供することである。
【０００４】
前述の固定装置とは、ワイパーウィング本体のフロントガラス側突縁部にＬ字型の装着プレートを設け、当該装着プレートにはスリットが入り、スリット周囲にはねじ受け溝を具備しており、さらに菱形を呈するワッシャーを有し、当該ワッシャーの中央部にはねじ孔を具備し、当該ウィングをワイパーブラケットに装着するに当たり、装着プレートおよびワイパーブラケット側のスリットにねじを貫通させ、ワイパーブラケット突縁裏側にワッシャーを置いて締め付けるが、装着に当たりワッシャーが菱形設計であるため、ワッシャーは回転してワイパーブラケット裏で当接し、幅の異なるブラケットのワイパーにも適用できるような装置である。
【０００５】
前述の固定装置において、装着プレートにカバーを設け、当該カバーに異なる模様を設ければ、装飾効果も有することになる。
【課題を解決するための手段】
【０００６】
請求項１の考案は  ワイパーウィング本体のフロントガラス側突縁部にＬ字型の装着プレートを設け、当該装着プレートにはスリットが入り、装着プレートによりワイパーウィングをワイパーに固定するに当たり、当該装着プレートのスリットにはねじ受け溝が設けられ、ワッシャーは菱形状を呈し、ワッシャー中央部にはワッシャー孔が設けられ、ワッシャーをワイパーブラケットの突縁裏面に重ね、ねじを装着プレートとワイパーブラケットのスリットに貫通させることによりワイパーウィングをワイパーに固定し、このときワッシャーが角度を変えてワイパーブラケットの壁面に当接することにより、ワイパーウィングを各種型の異なるワイパーに適用させうる点を特徴とするワイパーウィングの固定装置としている。
請求項２の考案は、請求項１記載のワイパーウィングの固定装置において、当該装着プレートの上にカバーを圧入し、当該カバーには多様な模様があり装飾効果を発揮することを特徴とする、ワイパーウィングの固定装置としている。
請求項３の考案は、請求項１記載のワイパーウィングの固定装置において、当該ワッシャーがラウンド状のコーナーを有し、ワッシャー固定に当たりワッシャーが角度を変えてワイパーブラケット壁面に当接し、固定されることを特徴とするワイパーウィングの固定装置としている。
【考案の効果】
【０００７】
ワイパーウィング本体のフロントガラス側突縁部にＬ字型の装着プレートを設け、当該装着プレートにはスリットが入り、スリット周囲にはねじ受け溝を具備しており、さらに菱形を呈するワッシャーを有し、当該ワッシャーの中央部にはねじ孔を具備し、当該ウィングをワイパーブラケットに装着するに当たり、装着プレートおよびワイパーブラケット側のスリットにねじを貫通させ、ワイパーブラケット突縁裏側にワッシャーを置いて締め付けるが、装着に当たりワッシャーが菱形設計であるため、ワッシャーは回転してワイパーブラケット裏で当接し、幅の異なるブラケットのワイパーにも適用できるような装置である。装着プレートにカバーを設け、当該カバーに異なる模様を設ければ、装飾効果も有することになる。
【０００８】
本考案においては装着プレートにねじ受け溝を具備したスリットを設け、菱形状のワッシャーをあてがうことにより、同一型のワイパーウィングを各種異なる型のワイパーに適用できることになり、これは実用性をともなう設計であり、新規性を持つ考案である。
【考案を実施するための最良の形態】
【０００９】
図１、図２を同時に参照しながら説明を進めるが、本考案の主にワイパーウィング本体１から成り、ワイパーウィング本体１のフロントガラス側突縁部にＬ字型の装着プレート１１を設け、当該装着プレート１１にはスリット１１１が入り、スリット１１１周囲にはねじ受け溝１１２を具備しており、さらに菱形を呈する二個のワッシャー２を有し、当該ワッシャー２の中央部にはねじ孔２１を具備し、当該ワイパーウィング本体１をワイパー３に装着するに当たり、当該装着プレート１１をワイパー３のワイパーブラケット３１に重ね、ねじ４を装着プレート１１のスリット１１１およびワイパーブラケット３１側のスリット１１１に貫通させ、ワイパーブラケット３１突縁裏側にワッシャー２を置いて締め付けてワイパーウィング本体１を固定するが、装着に当たりワッシャー２が菱形設計であり且つコーナー部がラウンド形状であるため、ブラケットの幅が異なる各種ワイパーにも適用できることを特徴とする装置である。
【００１０】
前述の固定装置において、二個のカバー５が含まれ、カバー５には異なる模様５１が設けられており、二個の当該カバー５を装着プレート１１に重ねて装着プレート１１上に圧入固定し、ねじ４の外部露出を回避すると同時に装飾効果を上げて、ワイパーウィングとワイパーにおける全体の美観をアップさせる。
【００１１】
図３をみると、本考案は装着時において、当該ワッシャー２をワイパー３のワイパーブラケット３１の突縁裏面（ワイパーブラケット３１は逆U型の溝形状）に置き、ねじ４をワイパーウィング本体１のスリット１１１および装着プレート１１のスリット１１１に貫通させ、ワイパーウィング本体１をワイパー３に固定して、ワイパー３作動時にダウンフォースを形成させてワイパー３の払拭効果上昇を図るものである。
【００１２】
図４をみると、本考案において装着時に、ワッシャー２がワイパーブラケット３の突縁裏面に置かれ、ワッシャー２のコーナー部がワイパーブラケット３１の壁面に当接することにより堅固に固定され、弛緩を回避している。
【００１３】
図５に示すのは、ワイパーの型によりワイパーブラケットの幅が異なることから、本考案においてワッシャー２を締め付けるに当たり、ワッシャー２は菱形しかもコーナー部がラウンド状を呈していることにより、当該ワッシャー２が締めの方向に回転するので、各種異なる幅のワイパーブラケット３１に装着するときも、ワッシャー２は角度を変えてワイパーブラケット３１の壁面に当接することから、同一型のワイパーウィングを各種異なる型のワイパーに適用できることになり、ワイパーウィングの実用価値を高めている。
【図面の簡単な説明】
【００１４】
【図１】本考案の透視図。
【図２】本考案装着後におけるワイパーの透視図。
【図３】本考案におけるワイパーブラケット装着の実施例図。
【図４】本考案における幅の異なるワイパーブラケットへのワッシャー取付けの実施例図。
【図５】本考案における幅の異なるワイパーブラケットへのワッシャー取付けの実施例図。
【符号の説明】
【００１５】
１  ワイパーウィング本体        ３    ワイパー
１１  装着プレート              ３１  ワイパーブラケット
１１１  スリット                ３１１  スリット
１１２  ねじ受け溝              ４  ねじ
２  ワッシャー                  ５  カバー
２１  ねじー孔                  ５１  模様
【図１】
0003118393.tif 000003
【図２】
0003118393.tif 000004
【図３】
0003118393.tif 000005
【図４】
0003118393.tif 000006
【図５】
0003118393.tif 000007